(57)【要約】【課題】任意の原稿を読み取ってカラー画像を形成する場合に、画像処理機能及び画像形成機能間の接続保護方法を強化して有価証券などの偽造犯罪を防止、かつ、デジタルカラー複写機等の改造を防止できるようにする。【解決手段】原稿を読み取りカラー画像情報を出力する原稿読取部１１と、このカラー画像情報を画像処理するプログラム可能な回路を含む画像処理部５と、この画像処理後のカラー画像情報に基づいて画像を形成する画像形成部１８と、画像形成部１８の固体識別情報を入力して当該固体識別情報の真偽を判定し、当該判定結果に基づいて画像処理部５の中のプログラム可能な回路を構築し当該画像処理部５と画像形成部１８との間で通信制御をする画像制御部１５とを備える。画像形成部１８の固体識別情報が不良であると判断された場合に、画像処理部５と画像形成部１８との間を通信動作無効状態に維持することができる。【選択図】        図２
2004214802.tif 000002
【特許請求の範囲】
【請求項１】
任意の原稿を読み取ってカラー画像を形成する装置であって、
前記原稿を読み取りカラー画像情報を出力する原稿読取手段と、
前記原稿読取手段により読み取られたカラー画像情報を画像処理するプログラム可能な回路を含む画像処理手段と、
固体識別情報を有して前記画像処理手段により画像処理されたカラー画像情報に基づいて画像を形成する画像形成手段と、
前記画像形成手段の固体識別情報を入力して当該固体識別情報の真偽を判定し、当該判定結果に基づいて前記画像処理手段の中のプログラム可能な回路を構築し当該画像処理手段と画像形成手段との間で通信制御をする制御手段とを備えることを特徴とするカラー画像形成装置。
【請求項２】
前記画像処理手段には固体識別情報が割り当てられ、
前記画像形成手段と接続可能で、かつ、プログラム可能な画像濃度変換手段と、
前記画像濃度変換手段を回路構築するための回路結線情報を記憶した不揮発性の記憶手段とを有することを特徴とする請求項１に記載のカラー画像形成装置。
【請求項３】
前記制御手段は、
前記画像形成手段の固体識別情報が予め準備された固体識別情報と一致しないと判断した場合に、前記記憶手段からの回路結線情報の読み出し拒否をすると共に前記画像濃度変換処理手段の回路構築を実行しないことを特徴とする請求項１に記載のカラー画像形成装置。
【請求項４】
前記制御手段は、
前記画像形成手段の固体識別情報が良好であると判断した場合に、前記画像処理手段と画像形成手段との間の通信確立処理に移行し、
前記画像形成手段の固体識別情報が不良であると判断した場合に、前記画像処理手段と画像形成手段との間を通信動作無効状態に維持することを特徴とする請求項１に記載のカラー画像形成装置。
【請求項５】
前記画像処理手段に未知の原稿読取手段及び画像形成手段が接続されたとき、
前記制御手段は、
前記画像処理手段に対応した前記画像形成手段に予め割り当てられた固体識別情報と、当該画像処理手段に接続された未知の画像形成手段の固体識別情報とを比較して当該固体識別情報の真偽を判定することを特徴とする請求項１に記載のカラー画像形成装置。
【請求項６】
前記制御手段は、
前記画像処理手段の固体識別情報に対する前記画像形成手段の固体識別情報が不良であると判断した場合に、前記記憶手段から回路結線情報を消去することを特徴とする請求項１に記載のカラー画像形成装置。
【請求項７】
任意の原稿を読み取って画像処理をした後にカラー画像を形成する方法であって、
前記原稿を読み取りカラー画像情報を出力する原稿読取系と、プログラム可能な回路を含む画像処理系と、当該カラー画像情報に基づいて画像を形成する画像形成系とを準備し、少なくとも、当該画像処理系に固体識別情報を割り当てると共に、当該画像処理系に対応した画像形成系に固体識別情報を割り当て、
前記カラー画像形成時に、
前記画像処理系の固体識別情報と前記画像形成系の固体識別情報とを比較して当該固体識別情報の真偽を判定し、
当該判定結果に基づいて前記画像処理系の中のプログラム可能な回路を構築して当該画像処理系と画像形成系とを接続し、
接続された前記画像処理系でカラー画像情報を画像処理すると共に前記画像形成系で画像処理後のカラー画像情報に基づいて画像を形成することを特徴とする画像形成方法。
【発明の詳細な説明】
【０００１】
【発明の属する技術分野】
本発明は、カラー原稿読取り系及びカラー画像形成系を備えた改造防止機能付きカラーデジタル複写機に適用して好適なカラー画像形成装置及び画像形成方法に関するものである。
【０００２】
【従来の技術】
近年、色付きの原稿画像から取得した赤（Ｒ）色、緑（Ｇ）色、青（Ｂ）色に係るカラー画像データに基づいてカラー画像形成を行うデジタルカラー複写機が使用されるに至っている。この複写機では原稿の画像情報がスキャナ等により読み込まれ、その原稿の画像情報に係るカラー画像データが一旦、画像メモリに蓄えられる。このカラー画像データをメモリに蓄える際に、シェーディング補正や、タイミング制御、ライン間補正等がなされる。
【０００３】
これらの補正処理後のＲＧＢ色に係るカラー画像データはγ補正や色再現性処理（ＲＧＢ系の画像信号を色材によるＹＭＣＫ信号に変換する処理）、変倍処理、空間フィルタ、画像圧縮処理等がなされる。ここで画像処理されたカラー画像データに基づいて画像形成手段（プリンタ）により所定の用紙にカラー画像が形成される。この結果、カラー原稿画像を複写（コピー）することができる。
【０００４】
ところで、近年の画像処理及び画像形成分野における技術の向上に伴い、高性能かつ高機能のディジタルカラー複写機が製造可能となったことから、この複写機の画像処理及び画像形成機能を悪用して紙幣を含む有価証券等を偽造する者が出現している。
【０００５】
このような悪質な犯罪を防止するために、様々な偽造防止機能を備えた複写機が開示されている。特許文献１には画像再現装置が開示されている。この画像再現装置によれば、偽造防止対策用の微細な追跡データを常に一定のレベルで再現画像に書き込むようになされる。特許文献２には画像形成装置が開示されている。この画像形成装置によれば、有価証券を複写する要求であるか否かを判別する機能を付加し、複写要求が有価証券であると判別されたとき、メッセージを表示して警告するようになされる。
【０００６】
また、特許文献３にはディジタルカラー複写機が開示されている。この複写機によれば、偽造防止対策用の追跡情報を格納したＲＯＭを設け、このＲＯＭが改ざんされたかを判別し、このＲＯＭが改ざんされたと判断された場合には複写動作を禁止するようになされる。特許文献４には画像生成方法及び画像生成装置が開示されている。この画像生成方法によれば、複写による偽造が禁止されている文書データに基づく画像形成要求の有無を検出し、この文書データによる画像形成要求の有った場合は、プリント流通経路の追跡を容易にするための複写防止偽造画像データを付加するようになされる。
【０００７】
更に特許文献５には文書偽造を防止する印刷方法が開示されている。この印刷方法によれば、印刷される文書に関して保護レベルを判定し、この保護レベルに応じた透かし印刷が施され、複写時に、透かし印刷の有無及び透かし印刷に施された保護レベルから真偽を判別するようになされる。
【０００８】
また、特許文献６にはカラー画像形成装置が開示されている。このカラー画像形成装置によれば、電子透かしデータ判別回路を備え、上位装置からの印刷データに電子透かしデータを付加するか否かを判別し、電子透かしデータを付加すると判別された場合は、印刷画像に追跡パターンを合成して出力するようになされる。
【０００９】
【特許文献１】
特開平７−７４９２６号公報（第３頁、第８図）
【特許文献２】
特開平７−２９８０４４号公報（第２頁、第２図）
【特許文献３】
特開２００１−１１７４５５号公報（第３頁、第３図）
【特許文献４】
特開２００１−３４６０３２号公報（第３頁、第３図）
【特許文献５】
特開２００２−１９０９４７号公報（第２頁、第２図）
【特許文献６】
特開２００２−１００５７号公報（第２頁、第１図）
【００１０】
【発明が解決しようとする課題】
ところで、従来例に係る偽造防止機能を備えた複写機によれば、以下のような問題がある。
▲１▼  特許文献１、特許文献３乃至特許文献６のいずれも、有価証券が偽造された後に、どの画像形成装置で形成されたかを追跡するという消極的なものであって、積極的に有価証券を偽造させないというものでない。
▲２▼  特許文献２では複写要求が有価証券であると判別されたとき、メッセージを表示して警告するに止まり、これを無視して有価証券を複写されるおそれがある。
▲３▼  近年では、有価証券の偽造の発覚を恐れて１台のディジタルカラー複写機を使用して有価証券を複写することなく、メーカの異なる原稿読取ユニットや画像処理ユニット、画像形成ユニットを組み合わせて、有価証券を偽造するといった事例が報告されている。これらの処理ユニットを組み合わせて使用することで、どの画像形成装置で形成されたかの追跡を免れ、犯罪を逃れようとする考えである。
【００１１】
そこで、この発明はこのような従来例に係る課題を解決したものであって、任意の原稿を読み取ってカラー画像を形成する場合に、画像処理機能及び画像形成機能間の接続保護方法を強化して有価証券などの偽造犯罪を防止、かつ、デジタルカラー複写機等の改造を防止できるようにしたカラー画像形成装置及び画像形成方法を提供することを目的とする。
【００１２】
【課題を解決するための手段】
上述した課題を解決するために、本発明に係るカラー画像形成装置は、任意の原稿を読み取ってカラー画像を形成する装置であって、原稿を読み取りカラー画像情報を出力する原稿読取手段と、この原稿読取手段により読み取られたカラー画像情報を画像処理するプログラム可能な回路を含む画像処理手段と、固体識別情報を有して画像処理手段により画像処理されたカラー画像情報に基づいて画像を形成する画像形成手段と、この画像形成手段の固体識別情報を入力して当該固体識別情報の真偽を判定し、当該判定結果に基づいて画像処理手段の中のプログラム可能な回路を構築し当該画像処理手段と画像形成手段との間で通信制御をする制御手段とを備えることを特徴とするものである。
【００１３】
本発明に係るカラー画像形成装置によれば、任意の原稿を読み取ってカラー画像を形成する場合に、画像形成手段には予め固体識別情報が割り当てられる。画像処理手段にも、例えば、予め固体識別情報が割り当てられる。これを前提にして、制御手段では画像処理手段の固体識別情報と画像形成手段の固体識別情報とを入力して当該固体識別情報の真偽を判定し、当該判定結果に基づいて画像処理手段の中のプログラム可能な回路を構築し当該画像処理手段と画像形成手段との間で通信制御をするようになされる。
【００１４】
例えば、画像処理手段で期待する画像形成手段の固体識別情報が良好であると制御手段によって判断された場合に、画像処理手段の中のプログラム可能な回路が構築され、画像処理手段と画像形成手段との間の通信確立処理に移行される。この結果、原稿読取手段で原稿を読み取ったカラー画像情報が画像処理手段に出力される。画像処理手段ではカラー画像情報が画像処理される。画像形成手段では画像処理後のカラー画像情報に基づいてカラー画像を形成するようになされる。
【００１５】
また、画像処理手段の固体識別情報に対する画像形成手段の固体識別情報が不良であると判断された場合に、画像処理手段と画像形成手段との間を通信動作無効状態に維持することができる。従って、画像処理手段が期待する画像形成手段の固体識別情報が良好であると判断され、画像処理手段内のプログラム可能な回路が構築（プログラムアップ）されない限り、カラー画像形成装置としての機能を剥奪（無効に）できるので、有価証券などの偽造犯罪防止、かつ、デジタルカラー複写機の改造防止等に寄与するところが大きい。
【００１６】
本発明に係る画像形成方法は、任意の原稿を読み取って画像処理をした後にカラー画像を形成する方法であって、原稿を読み取りカラー画像情報を出力する原稿読取系と、プログラム可能な回路を含む画像処理系と、当該カラー画像情報に基づいて画像を形成する画像形成系とを準備し、少なくとも、当該画像処理系に固体識別情報を割り当てると共に、当該画像処理系に対応した画像形成系に固体識別情報を割り当て、カラー画像形成時に画像処理系の固体識別情報と画像形成系の固体識別情報とを比較して当該固体識別情報の真偽を判定し、当該判定結果に基づいて画像処理系の中のプログラム可能な回路を構築して当該画像処理系と画像形成系とを接続し、ここで接続された画像処理系でカラー画像情報を画像処理すると共に画像形成系で画像処理後のカラー画像情報に基づいて画像を形成することを特徴とするものである。
【００１７】
本発明に係る画像形成方法によれば、任意の原稿を読み取ってカラー画像を形成する場合に、画像処理系の固体識別情報に対する画像形成系の固体識別情報が不良であると判断された場合に、画像処理系と画像形成系との間の接続を拒否し、この間を通信動作無効状態に維持することができる。従って、画像処理系及び画像形成系間の接続保護方法を強化することができ、有価証券などの偽造犯罪防止、かつ、デジタルカラー複写機の改造防止等に寄与するところが大きい。
【００１８】
【発明の実施の形態】
続いて、この発明に係るカラー画像形成装置及び画像形成方法の一実施の形態について、図面を参照しながら説明をする。
（１）実施形態
図１は本発明に係る実施形態としてのカラー画像形成装置を応用したカラーディジタル複写機１００の構成例を示すブロック図である。
この実施形態では任意の原稿を読み取ってカラー画像を形成する場合に、画像処理手段と画像形成手段との接続可否を決定する制御手段を備え、画像形成手段の固体識別情報を入力して当該固体識別情報の真偽を判定し、当該判定結果に基づいて画像処理手段の固体識別情報に対する画像形成手段の固体識別情報が不良であると判断された場合に、プログラム可能な回路を構築することなく、画像処理手段と画像形成手段との間を通信動作無効状態に維持できるようにすると共に、カラー画像形成装置としての機能を剥奪（無効に）できるようにしたものである。
【００１９】
図１に示すカラーディジタル複写機１００はカラー画像形成装置の一例であり、任意の色付き原稿を読み取ってカラー画像を形成する改造防止機能付き装置である。この複写機１００は原稿読取部１１、機械制御部１２、操作部１４、画像制御部１５、プリンタコントローラ１６、外部インターフェース（以下外部Ｉ／Ｆという）１７及び画像形成部１８を有している。画像制御部１５は制御手段の一例であり、この画像制御部１５には原稿読取部（原稿読取手段）１１が接続され、色付き原稿を含む任意の原稿を読み取りカラー画像情報Ｒ，Ｇ，Ｂを出力するようになされる。
【００２０】
画像制御部１５には画像形成部（画像形成手段）１８が接続され、原稿読取部１１により読み取られたカラー画像情報Ｒ，Ｇ，Ｂに基づくカラー画像形成データＹ，Ｍ，Ｃ，ＢＫに基づいてカラー画像を形成するようになされる。画像形成部１８には予め固体識別情報の一例となるユニット・シリアルＩＤ番号が割り当てられ、このＩＤ番号情報を不揮発性のメモリ等に記憶するようになされる。シリアルＩＤ番号は数字や記号を並べたものであり、画像形成部１８の固体を識別するための固有の番号情報である。
【００２１】
画像制御部１５は全体制御部を構成し、原稿読取部１１及び画像形成部１８の他に、機械制御部１２、操作部１４、プリンタコントローラ１６、外部Ｉ／Ｆ１７が接続されている。機械制御部１２では例えば、画像制御部１５からの給紙制御データに基づいて給紙トレイから用紙を繰り出すようになされる。
【００２２】
操作部１４は原稿読取時や画像形成時の制御条件を設定するように操作されると共に、この操作に基づいて操作データを画像制御部１５へ出力するようになされる。操作部１４は例えば、液晶表示パネルとタッチパネル等から構成される。プリンタコントローラ１６は外部入力されるカラー画像情報に基づいて画像形成部１８を制御するようになされる。外部入力されるカラー画像情報Ｄinは、例えば、外部Ｉ／Ｆ１７に接続された上位のコンピュータから入力される。
【００２３】
この画像制御部１５は、ＲＯＭ５１、ＲＡＭ５２及びＣＰＵ（中央処理ユニット）５３を有している。ＲＯＭ５１には複写機全体を制御するためのシステムプログラムが格納される。この他にユニット・シリアルＩＤ番号の真偽を判定するための比較照合プログラムが格納される。比較照合プログラムは、例えば、画像形成部１８からユニット・シリアルＩＤ番号を読出して入力し当該ユニット・シリアルＩＤ番号の真偽を判定する手順を記述したアルゴリズム等である。
【００２４】
ＲＡＭ５２はワークメモリとして使用され、例えば、制御コマンドや比較照合プログラム等を一時記憶するようになされる。ＣＰＵ５３は電源がオンされると、ＲＯＭ５１からシステムプログラムを読み出してシステムを起動する。その後、画像形成部１８からユニット・シリアルＩＤ番号を読出し、図２に示すような画像処理部５で予め準備されたユニット・シリアルＩＤ番号とを比較照合するようになされる。当該シリアルＩＤ番号の真偽を判定するためである。比較照合結果で画像処理部５と画像形成部１８との接続可否を決定するようになされる。
【００２５】
図２は画像制御部１５の周辺構成及び画像処理部５の内部構成例を示すブロック図である。この例では、図２に示す画像制御部１５には画像処理部５が備えられる。
【００２６】
この画像制御部１５では例えば、画像処理部５に対して予め割り当てられたシリアルＩＤ番号と、画像形成部１８に予め割り当てられたシリアルＩＤ番号とを比較して当該シリアルＩＤ番号の真偽を判定するようになされる。この判定は改造防止機能を向上させるためである。画像処理部５のシリアルＩＤ番号と、画像形成部１８のシリアルＩＤ番号とが一致する場合は、カラー画像形成装置の工場出荷時ユニット、又は、カラー画像形成装置を正規のサービスマンが設置・調整したときの組み合わせユニットと判定されたときである。複数メーカーの機器で構成される装置の場合は、後者の正規のサービスマンが設置・調整したときの組み合わせユニットであると判定されたときに該当する。
【００２７】
画像処理部５は原稿読取部１１から出力されるパラレルのカラー画像情報ＲＧＢを画像処理する。画像処理部５は例えば、メモリ回路５４、色再現処理回路５５、画像判別処理回路５６、フィルタリング処理回路５７、拡大／縮小処理回路５８及び濃度変換処理回路５９から構成される。
【００２８】
この色再現処理回路５５、画像判別処理回路５６及び電子ＲＤＨ５１０は上述の原稿読取部１１に接続される。電子ＲＤＨ５１０は読み取った原稿情報を画像圧縮してページ単位でメモリに記憶し、複数部数や複写物のページ構成に合わせて原稿情報を読出し、画像伸長して画像を形成する機能である。色再現処理回路５５ではカラー画像情報Ｒ，Ｇ，Ｂを８つのカラー画像形成データＤＹ（ダークイエロー）、Ｙ（イエロー）、ＬＭ（ライトマゼンタ）、Ｍ（マゼンタ）、ＬＣ（ライトシアン）、Ｃ（シアン）、（ライトブラック）ＬＢＫ、（ブラック）ＢＫに変換するような色再現処理を実行する。例えば、色再現処理回路５５には色変換用の複数のＲＯＭが設けられ、カラー画像情報Ｒ，Ｇ，Ｂをアドレスにしてカラー画像形成データＤＹ、Ｙ、ＬＭ、Ｍ、ＬＣ、Ｃ、ＬＢＫ、ＢＫを読出すようになされる。
【００２９】
画像判別処理回路５６ではカラー画像情報Ｒ，Ｇ，Ｂに基づいてフィルタ係数や、濃度係数を判別し、その判別結果をフィルタリング処理回路５７及び濃度変換処理回路５９に出力するようになされる。色再現処理回路５５にはフィルタリング処理回路５７が接続され、画像判別処理回路５６から得られるフィルタ係数に基づいてカラー画像形成データＤＹ、Ｙ、ＬＭ、Ｍ、ＬＣ、Ｃ、ＬＢＫ、ＢＫをフィルタリング処理するようになされる。フィルタリング処理回路５７には拡大／縮小処理回路５８が接続され、予め設定された画像処理条件に基づいてカラー画像形成データＤＹ、Ｙ、ＬＭ、Ｍ、ＬＣ、Ｃ、ＬＢＫ、ＢＫを拡大／縮小処理するようになされる。
【００３０】
拡大／縮小処理回路５８には濃度変換処理回路５９が接続され、画像判別処理回路５６から得られる濃度係数に基づいてカラー画像形成データＤＹ、Ｙ、ＬＭ、Ｍ、ＬＣ、Ｃ、ＬＢＫ、ＢＫを濃度変換処理するようになされる。濃度変換処理回路５９はプログラム可能な回路から構成され、画像形成部１８と接続可能となされている。この例で画像制御部１５は、画像処理部５に対する原稿読取部１１のシリアルＩＤ番号と画像形成部１８のシリアルＩＤ番号とが良好であると判断した場合に、メモリ回路５４を通じて濃度変換処理回路５９を構築し、画像処理部５と画像形成部１８との間の通信確立処理に移行する。これが終了すると、操作部１４からの操作データに基づいて当該画像形成装置全体を制御するようになされる。
【００３１】
この例では濃度変換処理回路５９から読み出される、濃度変換処理後のカラー画像形成データＤＹ’、Ｙ’、ＬＭ’、Ｍ’、ＬＣ’、Ｃ’、ＬＢＫ’、ＢＫ’は画像形成部１８へ出力される。濃度変換処理回路５９には、ＲＳ２３２Ｃ規格の通信ケーブルが接続され、この通信ケーブルが画像形成部１８に接続される。画像処理部５を１ユニットとして単体で取引される場合があるからである。
【００３２】
この画像形成部１８では例えば、インクジェット方式の印字ヘッドによりカラー画像を形成するようになされる。印字ヘッドは各色毎の印字ヘッド駆動電圧に基づいて動作するＤＹ用、Ｙ用、ＬＭ用、Ｍ用、ＬＣ用、Ｃ用、ＬＢＫ用及びＢＫ用の８つの印字ヘッドを有している。もちろん、画像形成部１８はインクジェット方式に限られることはなく、電子写真方式によりカラー画像を形成する場合であってもよい。
【００３３】
なお、画像処理部５に対する画像形成部１８のシリアルＩＤ番号が不良であると全体制御部５０によって判断された場合に、画像処理部５と画像形成部１８との間を通信動作無効状態に維持するものである。このとき、メモリ回路５４からプログラムデバイスデータＰＤ＃を消去するようにしてもよい。
【００３４】
プログラムデバイスデータＰＤ＃は、通常の読出し電圧よりも高い書込み電圧をメモリ回路５４を構成するＥＥＰＲＯＭに印加することで、一瞬にしてデータ消去が可能となる。また、メモリ回路５４をフラッシュメモリで構成した場合はデータ消去用のコマンドを実行することで、所定サイズのデータサイズを一括して消去することができる。
【００３５】
よって、フラッシュメモリで構成する場合は、フラッシュメモリのデータ分割サイズ（セグメント・サイズ）に合わせてプログラムデバイスデータＰＤ＃を記憶させておき、１回のコマンド実行でプログラムデバイスデータＰＤ＃が消去できるようにメモリマップを考慮する。メモリ回路５４からプログラムデバイスデータＰＤ＃が消去されることで、より一層、不正な手段により濃度変換処理回路５９を構築することが困難になり、水際で有価証券等の偽造を防止できる。
【００３６】
（２）濃度変換処理回路５９の構築方法
図３は本発明に係る濃度変換処理回路５９の内部構成例を示すブロック図である。図３に示す濃度変換処理回路５９はプログラマブルロジックアレイ（ＰＬＤ）から構成され、例えば、３つのＩ／Ｏインターフェース４１、４３及び４４と、ＤＹ、Ｙ、ＬＭ、Ｍ、ＬＣ、Ｃ、ＬＢＫ及びＢＫ各色の濃度変換用ＲＡＭ９１〜９８を有している。
【００３７】
ＤＹ濃度変換用ＲＡＭ９１ではＮビットのパラレルのカラー画像形成データＤＹを濃度変換してＮビットのパラレルのカラー画像形成データＤＹ’を出力するようになされる。Ｙ濃度変換用ＲＡＭ９２ではＮビットのパラレルのカラー画像形成データＹを濃度変換してＮビットのパラレルのカラー画像形成データＹ’を出力するようになされる。
【００３８】
ＬＭ濃度変換用ＲＡＭ９３ではＮビットのパラレルのカラー画像形成データＬＭを濃度変換してＮビットのパラレルのカラー画像形成データＬＭ’を出力するようになされる。Ｍ濃度変換用ＲＡＭ９４ではＮビットのパラレルのカラー画像形成データＭを濃度変換してＮビットのパラレルのカラー画像形成データＭ’を出力するようになされる。
【００３９】
ＬＣ濃度変換用ＲＡＭ９５ではＮビットのパラレルのカラー画像形成データＬＣを濃度変換してＮビットのパラレルのカラー画像形成データＬＣ’を出力するようになされる。Ｃ濃度変換用ＲＡＭ９６ではＮビットのパラレルのカラー画像形成データＣを濃度変換してＮビットのパラレルのカラー画像形成データＣ’を出力するようになされる。
【００４０】
ＬＢＫ濃度変換用ＲＡＭ９７ではＮビットのパラレルのカラー画像形成データＬＢＫを濃度変換してＮビットのパラレルのカラー画像形成データＬＢＫ’を出力するようになされる。ＢＫ濃度変換用ＲＡＭ９８ではＮビットのパラレルのカラー画像形成データＢＫを濃度変換してＮビットのパラレルのカラー画像形成データＢＫ’を出力するようになされる。
【００４１】
この例でＩ／Ｏインターフェース４１とＤＹ濃度変換用ＲＡＭ９１との間は配線パターンＬ１により接続され、Ｎビットのカラー画像形成データＤＹが伝送される。Ｉ／Ｏインターフェース４１とＹ濃度変換用ＲＡＭ９２との間は配線パターンＬ２により接続され、Ｎビットのカラー画像形成データＹが伝送される。Ｉ／Ｏインターフェース４１とＬＭ濃度変換用ＲＡＭ９３との間は配線パターンＬ３により接続され、Ｎビットのカラー画像形成データＬＭが伝送される。Ｉ／Ｏインターフェース４１とＭ濃度変換用ＲＡＭ９４との間は配線パターンＬ４により接続され、Ｎビットのカラー画像形成データＭが伝送される。
【００４２】
また、Ｉ／Ｏインターフェース４１とＬＣ濃度変換用ＲＡＭ９５とは配線パターンＬ５により接続され、Ｎビットのカラー画像形成データＬＣが伝送される。Ｉ／Ｏインターフェース４１とＣ濃度変換用ＲＡＭ９６との間は配線パターンＬ６により接続され、Ｎビットのカラー画像形成データＣが伝送される。Ｉ／Ｏインターフェース４１とＬＢＫ濃度変換用ＲＡＭ９７とは配線パターンＬ７により接続され、Ｎビットのカラー画像形成データＬＢＫが伝送される。Ｉ／Ｏインターフェース４１とＢＫ濃度変換用ＲＡＭ９８との間は配線パターンＬ８により接続され、Ｎビットのカラー画像形成データＢＫが伝送される。
【００４３】
更に、ＤＹ濃度変換用ＲＡＭ９１とＩ／Ｏインターフェース４３との間は配線パターンＬ９により接続され、濃度変換後のカラー画像形成データＤＹ’が伝送される。Ｙ濃度変換用ＲＡＭ９２とＩ／Ｏインターフェース４３との間は配線パターンＬ１０により接続され、濃度変換後のＮビットのカラー画像形成データＹ’が伝送される。ＬＭ濃度変換用ＲＡＭ９３とＩ／Ｏインターフェース４３との間は配線パターンＬ１１により接続され、濃度変換後のＮビットのカラー画像形成データＬＭ’が伝送される。Ｍ濃度変換用ＲＡＭ９４とＩ／Ｏインターフェース４３との間は配線パターンＬ１２により接続され、濃度変換後のＮビットのカラー画像形成データＭ’が伝送される。
【００４４】
また、ＬＣ濃度変換用ＲＡＭ９５とＩ／Ｏインターフェース４３との間は配線パターンＬ１３により接続され、濃度変換後のＮビットのカラー画像形成データＬＣ’が伝送される。Ｃ濃度変換用ＲＡＭ９６とＩ／Ｏインターフェース４３との間は配線パターンＬ１４により接続され、濃度変換後のＮビットのカラー画像形成データＣ’が伝送される。ＬＢＫ濃度変換用ＲＡＭ９７とＩ／Ｏインターフェース４３との間は配線パターンＬ１５により接続され、濃度変換後のＮビットのカラー画像形成データＬＢＫ’が伝送される。ＢＫ濃度変換用ＲＡＭ９８とＩ／Ｏインターフェース４３との間は配線パターンＬ１６により接続され、濃度変換後のＮビットのカラー画像形成データＢＫ’が伝送される。
【００４５】
Ｉ／Ｏインターフェース４３はＮビットのカラー画像形成データＤＹ’、Ｙ’、ＬＭ’、Ｍ’、ＬＣ’、Ｃ’、ＬＢＫ’、ＢＫ’を図２に示した画像形成部１８に出力するようになされる。Ｉ／Ｏインターフェース４４は当該濃度変換処理回路５９の構築時にプログラムデバイスデータＰＤ＃を入力し、上述したＤＹ、Ｙ、ＬＭ、Ｍ、ＬＣ、Ｃ、ＬＢＫ及びＢＫ各色の濃度変換用ＲＡＭ９１〜９８へＰＤ＃（Ｄ２１〜Ｄ２８）を供給するように機能する。
【００４６】
例えば、ＤＹ濃度変換用ＲＡＭ９１は回路構築情報Ｄ２１に基づいて構築される。Ｙ濃度変換用ＲＡＭ９２は回路構築情報Ｄ２２に基づいて構築される。ＬＭ濃度変換用ＲＡＭ９３は回路構築情報Ｄ２３に基づいて構築される。Ｍ濃度変換用ＲＡＭ９４は回路構築情報Ｄ２４に基づいて構築される。また、ＬＣ濃度変換用ＲＡＭ９５は回路構築情報Ｄ２５に基づいて構築される。Ｃ濃度変換用ＲＡＭ９６は回路構築情報Ｄ２６に基づいて構築される。ＬＢＫ濃度変換用ＲＡＭ９７は回路構築情報Ｄ２７に基づいて構築される。ＢＫ濃度変換用ＲＡＭ９８は回路構築情報Ｄ２８に基づいて構築される。このようにすると、プログラマブルロジックアレイ（ＰＬＤ）から濃度変換処理回路５９を構成することができる。
【００４７】
図４Ａ及びＢはＤＹ色の濃度変換処理例を示す構成図である。図４Ａの波線円内図に示す横軸は、入力信号ＤＹinであり、この例ではダーク・イエロー色の画像形成データＤＹを示している。縦軸は濃度である。Ｐ０は濃度基準特性であり、直線で示されている。Ｐａ〜Ｐｃは例えば、画像形成部１８に対応した３つの濃度変換曲線であり、例えばＳ字曲線で示されている。このような３つの濃度変換曲線が濃度変換テーブルデータＤＲｉ（ｉ＝１〜８）としてＤＹ濃度変換用ＲＡＭ９１に書き込まれる。
【００４８】
図４Ｂに示すＲＡＭ９１はメモリ回路５４からのプログラムデバイスデータＰＤ＃によって回路構築されたものである。このＲＡＭ９１における画像形成部１８に対応した最適な濃度変換曲線の選択はＣＰＵ５３によってなされる。例えば、画像形成部１８のシリアルＩＤ番号を読み込んで、このシリアルＩＤ番号に対応する濃度変換曲線Ｐａ〜Ｐｃのいずれか１つを設定するような濃度変換テーブルデータＤＲ１がＲＡＭ９１等に書き込まれる。
【００４９】
なお、ＤＲ１はＤＹ濃度変換テーブルデータであり、ＤＲ２はＹ濃度変換テーブルデータである。同様にして、ＤＲ３はＬＭ濃度変換テーブルデータであり、ＤＲ４はＭ濃度変換テーブルデータである。ＤＲ５はＬＣ濃度変換テーブルデータであり、ＤＲ６はＣ濃度変換テーブルデータである。ＤＲ７はＬＢＫ濃度変換テーブルデータであり、ＤＲ８はＢＫ濃度変換テーブルデータである。ＤＹ濃度変換テーブルデータは回路構築時にＣＰＵ５３によってＲＡＭ９１に書き込まれる。他のＹ、ＬＭ、Ｍ、ＬＣ、Ｃ、ＬＢＫ及びＢＫの各々の濃度変換テーブルデータも同様にして、回路構築時にＣＰＵ５３によって各々のＲＡＭ９１〜９８に書き込まれる。
【００５０】
この例でＤＹ色の濃度変換処理に関して、拡大／縮小処理回路５８から出力される、例えば８ビットのカラー画像形成データＤＹをアドレスにしてＲＡＭ９１から濃度変換後の８ビットのカラー画像形成データＤＹ’が読み出される。他のカラー画像形成データＹ、ＬＭ、Ｍ、ＬＣ、Ｃ、ＬＢＫ及びＢＫについても、同様にしてＲＡＭ９２〜ＲＡＭ９８から濃度変換後のカラー画像形成データＹ’、ＬＭ’、Ｍ’、ＬＣ’、Ｃ’、ＬＢＫ’及びＢＫ’が読み出される。このようにすることで、画像形成部１８に対応した、例えば、濃度変換曲線Ｐａによってカラー画像形成データＤＹをカラー画像形成データＤＹ’へ濃度変換することができる。
【００５１】
図５は本発明に係る濃度変換処理回路５９の回路構築例（その１）を示す平面図である。
この実施形態では例えば、プログラマブルセルの１つが算術論理演算素子（ＬＡＹ）及びメモリセル（ＭＥＣ）から構成されるプログラマブルロジックアレイを使用する。このプログラマブルロジックアレイはプログラマブルセルをマトリクス状に配置し、その周辺にＩ／Ｏインターフェースを配置したもので、各プログラマブルセル間にはプログラム可能な配線が配置されているものである。
【００５２】
図５に示す濃度変換処理回路５９は予め同一半導体チップ上に複数のメモリセルＭＳＥ及び算術論理演算素子ＬＡＹを形成したプログラム可能な半導体デバイス（ＰＬＤ；Programmable Logic Device）である。この半導体デバイスの行方向には例えばＮ＝７本（ｉ＝１，２，ｉ・・・Ｎ）の配線パターン（以下で行配線ＣＯ１〜ＣＯ７という）が配置される。
【００５３】
列方向には同様にしてＭ＝７本（ｊ＝１，２，ｊ・・・Ｍ）の配線パターン（以下で列配線ＲＯ１〜ＲＯ７という）が配置される。この行配線ＣＯ１〜ＣＯ７と直交するように配置された列配線ＲＯ１〜ＲＯ７によってＰＬＤが格子状を構成するようになされている。各々の格子内には複数のメモリセルＭＳＥ及び算術論理演算素子ＬＡＹを一単位とするメモリセル／算術論理演算素子ブロック（以下で単にセルブロックという）ＳＥｉｊ（ｉ＝１〜８、ｊ＝１〜８）が設けられている。
【００５４】
この例では８×８＝６４個のセルブロックＳＥ１１〜ＳＥ８８が同一半導体チップ上に形成されている。１つのセルブロックＳＥｉｊの上半分には複数のメモリセルＭＳＥが配置され、その下半分には複数の算術論理演算素子ＬＡＹが配置されている。また、ＤＹ、Ｙ、ＬＭ、Ｍ、ＬＣ、Ｃ、ＬＢＫ及びＢＫ各色の濃度変換用ＲＡＭ９１〜９８はセルブロックＳＥｉｊ内のメモリセルを組み合わせて画定する場合と、他のセルブロックＳＥｉｊ内のメモリセルをも組み合わせてこれらの機能回路を画定する場合とを想定している。
【００５５】
各々の行配線ＣＯ１〜ＣＯ７の両終端側にはＩ／Ｏインターフェース４２及び４４が設けられ、各々の列配線ＲＯ１〜ＲＯ７の両終端側にはＩ／Ｏインターフェース４１及び４３が設けられる。Ｉ／Ｏインターフェース４２には行配線ＣＯ１〜ＣＯ７の一端側が接続され、その他端側にはＩ／Ｏインターフェース４４が接続されている。Ｉ／Ｏインターフェース４１には列配線ＲＯ１〜ＲＯ７の一端側が接続され、その他端側にはＩ／Ｏインターフェース４３が接続されている。セルブロックＳＥ１１に最も近い行配線ＣＯ１や、列配線ＲＯ１等を使用してＩ／Ｏインターフェース４１又はＩ／Ｏインターフェース４２に配線をプログラムすることが可能となされている。もちろん、他の行配線ＣＯ２〜ＣＯ７や、列配線ＲＯ２〜ＲＯ８等を使用して他のセルブロックＳＥｉｊに配線をプログラムすることが可能となされている。
【００５６】
４つのＩ／Ｏインターフェース４１〜４４は例えば、格子内の６４個のセルブロックＳＥｉｊの内、外周縁部を構成するセルブロックＳＥ１１，ＳＥ１２・・・ＳＥ１８、ＳＥ１１，ＳＥ２１・・・ＳＥ８１、ＳＥ８１、ＳＥ８２・・・ＳＥ８８、及びＳＥ１８，ＳＥ２８・・・ＳＥ８８に沿ってこれらを取り囲むように配置されている。
【００５７】
各セルブロックＳＥｉｊ内のメモリセル間、算術論理演算素子間の配線や、セルブロックＳＥ１１〜ＳＥ８８間の配線、これらの間を結線する列配線ＲＯ１〜ＲＯ７とＩ／Ｏインターフェース間には複数のスイッチ素子（トランジスタ）が至る所に配置され、プログラムデバイスデータＰＤ＃（回路結線情報）に基づいてスイッチ素子をＯＮすることで、回路要素間を自在に接続できるようになされている。
【００５８】
図６は濃度変換処理回路５９の構築例（その２）を示す平面図である。この例では、図５で準備された半導体チップ上に、図６に示す波線で囲むような８個のＤＹ、Ｙ、ＬＭ、Ｍ、ＬＣ、Ｃ、ＬＢＫ及びＢＫ各色の濃度変換用ＲＡＭ９１〜９８を画定して濃度変換処理回路５９をレイアウトする。
【００５９】
この例で、ＤＹ濃度変換用ＲＡＭ９１には例えば、セルブロックＳＥ１１〜ＳＥ１４を割り当てて構成する。Ｙ濃度変換用ＲＡＭ９２には例えば、セルブロックＳＥ２２〜ＳＥ２５を割り当てて構成する。ＬＭ濃度変換用ＲＡＭ９３には例えば、セルブロックＳＥ３３〜ＳＥ３６を割り当てて構成する。Ｍ濃度変換用ＲＡＭ９４には例えば、セルブロックＳＥ４４〜ＳＥ４７を割り当てて構成する。
【００６０】
ＬＣ濃度変換用ＲＡＭ９５には例えば、セルブロックＳＥ５２〜ＳＥ５５を割り当てて構成する。Ｃ濃度変換用ＲＡＭ９６には例えば、セルブロックＳＥ６３〜ＳＥ６６を割り当てて構成する。ＬＢＫ濃度変換用ＲＡＭ９７には例えば、セルブロックＳＥ７４〜ＳＥ７７を割り当てて構成する。ＢＫ濃度変換用ＲＡＭ９８には例えば、セルブロックＳＥ８５〜ＳＥ８８を割り当てて構成する。
【００６１】
また、Ｉ／Ｏインターフェース４１とＤＹ濃度変換用ＲＡＭ９１とＩ／Ｏインターフェース４３との間の接続には、列配線Ｒ０１が使用され、配線パターンＬ１及びＬ９を構築するようになされる。Ｉ／Ｏインターフェース４１とＹ濃度変換用ＲＡＭ９２とＩ／Ｏインターフェース４３との間の接続には、列配線Ｒ０１やＲ０２が使用され、配線パターンＬ２及びＬ１０等を構築するようになされる。Ｉ／Ｏインターフェース４１とＬＭ濃度変換用ＲＡＭ９３とＩ／Ｏインターフェース４３との間の接続には、列配線Ｒ０２やＲ０３が使用され、配線パターンＬ３及びＬ１１を構築するようになされる。Ｉ／Ｏインターフェース４１とＭ濃度変換用ＲＡＭ９４とＩ／Ｏインターフェース４３との間の接続には、列配線Ｒ０３やＲ０４が使用され、配線パターンＬ４及びＬ１２等を構築するようになされる。
【００６２】
更に、Ｉ／Ｏインターフェース４１とＬＣ濃度変換用ＲＡＭ９５とＩ／Ｏインターフェース４３との間の接続には、列配線Ｒ０４やＲ０５が使用され、配線パターンＬ５及びＬ１３を構築するようになされる。Ｉ／Ｏインターフェース４１とＣ濃度変換用ＲＡＭ９６とＩ／Ｏインターフェース４３との間の接続には、列配線Ｒ０５やＲ０６が使用され、配線パターンＬ６及びＬ１４等を構築するようになされる。Ｉ／Ｏインターフェース４１とＬＣ濃度変換用ＲＡＭ９７とＩ／Ｏインターフェース４３との間の接続には、列配線Ｒ０６やＲ０７が使用され、配線パターンＬ７及びＬ１５を構築するようになされる。Ｉ／Ｏインターフェース４１とＣ濃度変換用ＲＡＭ９６とＩ／Ｏインターフェース４３との間の接続には、列配線Ｒ０７が使用され、配線パターンＬ８及びＬ１６等を構築するようになされる。
【００６３】
Ｉ／Ｏインターフェース４４とＲＡＭ９１との間は行配線Ｃ０１が使用され、ＤＹ濃度変換用テーブルを書き込む際のデータ書込み線等を構築するようになされる。Ｉ／Ｏインターフェース４４とＲＡＭ９２との間は行配線Ｃ０１やＣ０２が使用され、Ｙ濃度変換用テーブルを書き込む際のデータ書込み線を構築するようになされる。Ｉ／Ｏインターフェース４４とＲＡＭ９３との間は行配線Ｃ０２やＣ０３が使用され、ＬＭ濃度変換用テーブルを書き込む際のデータ書込み線等を構築するようになされる。Ｉ／Ｏインターフェース４４とＲＡＭ９４との間は行配線Ｃ０３やＣ０４が使用され、Ｍ濃度変換用テーブルを書き込む際のデータ書込み線を構築するようになされる。
【００６４】
Ｉ／Ｏインターフェース４４とＲＡＭ９５との間は行配線Ｃ０３やＣ０４が使用され、ＬＣ濃度変換用テーブルを書き込む際のデータ書込み線等を構築するようになされる。Ｉ／Ｏインターフェース４４とＲＡＭ９６との間は行配線Ｃ０４やＣ０５が使用され、Ｃ濃度変換用テーブルを書き込む際のデータ書込み線を構築するようになされる。Ｉ／Ｏインターフェース４４とＲＡＭ９７との間は行配線Ｃ０５やＣ０６が使用され、ＬＢＫ濃度変換用テーブルを書き込む際のデータ書込み線等を構築するようになされる。Ｉ／Ｏインターフェース４４とＲＡＭ９８との間は行配線Ｃ０６やＣ０７が使用され、ＢＫ濃度変換用テーブルを書き込む際のデータ書込み線を構築するようになされる。なお、プログラムデバイスデータＰＤ＃はＩ／Ｏインターフェース４４から供給するようにしているが、もちろん、これに限られることはなく、Ｉ／Ｏインターフェース４２から供給するようにしてもよい。
【００６５】
図７は濃度変換処理回路５９の構築例（その３）を示す平面図である。図７に示す濃度変換処理回路５９にはメモリ回路５４が接続され、この濃度変換処理回路５９を回路構築するためのプログラムデバイスデータＰＤ＃が記憶される。プログラムデバイスデータＰＤ＃は、ＤＹ、Ｙ、ＬＭ、Ｍ、ＬＣ、Ｃ、ＬＢＫ及びＢＫ各色の濃度変換用ＲＡＭ９１〜９８を構築する際のプログラマブルセル間を結線したり、回路を構築するための情報である。このメモリ回路５４にはＥＥＰＲＯＭやフラッシュメモリ等が使用される。ＥＥＰＲＯＭやフラッシュメモリ等は電源が切られても情報が保持され、所定の手順（電圧やコマンド）によって情報の書換えが可能な読出し専用メモリである。
【００６６】
この例では画像処理部５からメモリ回路５４には比較照合データとしてプログラムデバイスデータＰＤ＃を読み出すための先頭アドレスＡＤＤ１〜終端アドレスＡＤＤＸを出力するようになされる。これらの先頭アドレスＡＤＤ１から終端アドレスＡＤＤＸと共に情報読出し許可信号ＳＲが全体制御部５０からメモリ回路５４へ出力される。濃度変換テーブルデータＤＲｉ（ｉ＝１〜８）も全体制御部５０からメモリ回路５４へ出力される。
【００６７】
図８はメモリ回路５４によるプログラムデバイスデータＰＤ＃の格納例を示す表図である。図８に示すプログラムデバイスデータＰＤ＃の格納例では配線情報Ｄ１〜Ｄ１６に対する配線パターンＬ１〜Ｌ１６と共に、当該配線パターンＬ１〜Ｌ１６に伝送されるカラー画像形成データＤＹ’、Ｙ’、ＬＭ’、Ｍ’、ＬＣ’、Ｃ’、ＬＢＫ’及びＢＫ’等を示している。回路構築情報Ｄ２１〜Ｄ２８は、これら情報Ｄ２１〜Ｄ２８によって構築される各々の回路機能としてＤＹ、Ｙ、ＬＭ、Ｍ、ＬＣ、Ｃ、ＬＢＫ及びＢＫの濃度変換用ＲＡＭ９１〜９８を示している。配線情報Ｄ１〜Ｄ１６や回路構築情報Ｄ２１〜Ｄ２８等は回路技術言語により作成され、ネットリスト（回路結線情報）として準備される。
【００６８】
続いて、カラーディジタル複写機１００の動作例について説明をする。図９及び図１０はカラーディジタル複写機１００の動作例（その１、２）を示すフローチャートである。
【００６９】
この実施形態では、任意の原稿を読み取って画像処理をした後にカラー画像を形成する場合を前提とし、原稿読取部（系）１１によって読み取られたカラー画像情報を処理する画像処理部（系）５にシリアルＩＤ番号が予め割り当てられていると共に、当該カラー画像形成データＤＹ、Ｙ、ＬＭ、Ｍ、ＬＣ、Ｃ、ＬＢＫ、ＢＫに基づいて画像を形成する画像形成部（系）１８に対してもシリアルＩＤ番号が割り当てられている場合を前提とする。
【００７０】
これを動作条件にして、カラー画像形成時には、図９に示すフローチャートのステップＡ１で画像制御部１５は電源ＯＮ情報を検出する。この電源ＯＮ情報は、例えば、ユーザが電源スイッチをオン操作することでＣＰＵ５３等により検出される。その後、ステップＡ２に移行して画像制御部１５は画像形成部１８からユニット・シリアル番号情報を読み出す。ユニット・シリアル番号情報は例えば、工場出荷時に画像処理部５のメモリ回路５４や、画像形成部１８の図示しないメモリ回路に予め記憶される。
【００７１】
そして、ステップＡ３に移行して画像制御部１５では画像処理部５のシリアルＩＤ番号と画像形成部１８のシリアルＩＤ番号とを比較して当該シリアルＩＤ番号の真偽を判定する。例えば、画像処理部５のシリアルＩＤ番号と画像形成部１８のシリアルＩＤ番号とが一致するかが検出される。
【００７２】
ステップＡ４では画像制御部１５によってこのシリアルＩＤ番号が一致したかがチェックされる。シリアルＩＤ番号が一致した場合はステップＡ５に移行する。ステップＡ５では判定結果に基づいて画像処理部５ではメモリ回路５４からプログラムデバイスデータＰＤ＃が読み出されて濃度変換処理回路５９に設定される。
【００７３】
この設定によって、ステップＡ６で画像処理部５では濃度変換処理回路５９が構築される。この結果、濃度変換処理回路５９と画像形成部１８とが電気的に接続され、画像濃度変換後のカラー画像形成データＤＹ’、Ｙ’、ＬＭ’、Ｍ’、ＬＣ’、Ｃ’、ＬＢＫ’、ＢＫ’の受け渡しが可能となる。これにより、当該複写機１００は待機状態に移行する。
【００７４】
そして、図１０に示すフローチャートに移行してそのステップＡ７でユーザからの処理要求を待機する。ユーザからの処理要求は操作部１４を通じて入力される。ここでユーザから操作部１４を通じて原稿読取及び画像形成要求が有った場合は、ステップＡ８に移行して原稿読取部１１で原稿を読み取り処理を実行する。
【００７５】
その後、ステップＡ９に移行して画像処理部５でカラー画像情報Ｒ，Ｇ，Ｂを画像処理する。そして、ステップＡ１０に移行して画像形成部１８では濃度変換処理後のカラー画像形成データＤＹ’、Ｙ’、ＬＭ’、Ｍ’、ＬＣ’、Ｃ’、ＬＢＫ’、ＢＫ’に基づいてカラー画像を形成するようになされる。その後、ステップＡ１１に移行する。ステップＡ１１ではカラー画像を全部形成したかがチェックされる。カラー画像を全部形成していない場合はステップＡ１０に戻って画像形成処理が繰り返される。
【００７６】
また、上述のステップＡ４でシリアルＩＤ番号が一致しない場合及び、ステップＡ１０で画像形成処理が終了した場合は、ステップＡ１２へ移行して当該処理を終了するかを否かを判別する。例えば、電源ＯＦＦ情報を検出して処理を終了する。電源ＯＦＦ情報が検出されない場合は、ステップＡ２に戻って上述した処理が繰り返される。従って、ステップＡ４で原稿読取部１１のシリアルＩＤ番号に対する画像形成部１８のシリアルＩＤ番号が不良であると判断された場合に、ステップＡ１２→ステップＡ２→ステップＡ３→ステップＡ４を繰り返す無限ループに突入する。
【００７７】
この結果、画像処理部５ではメモリ回路５４からプログラムデバイスデータＰＤ＃が読み出されることなく、濃度変換処理回路５９も構築されない。これにより、画像処理部５と画像形成部１８との間を通信動作無効状態に維持される。
【００７８】
このように、本発明に係る実施形態としてのカラーディジタル複写機によれば、任意の原稿を読み取ってカラー画像を形成する場合に、画像制御部１５では画像処理部５のシリアルＩＤ番号と画像形成部１８のシリアルＩＤ番号とを入力して当該シリアルＩＤ番号の真偽を判定し、当該判定結果に基づいて画像処理部５と画像形成部１８との接続可否を決定するようになされる。
【００７９】
従って、画像形成部５のシリアルＩＤ番号に対して、画像形成部１８のシリアルＩＤ番号が良好であると判断され、濃度変換処理回路５９が回路構築（プログラムアップ）されない限り、カラーディジタル複写機１００としての機能を剥奪（無効に）できるので、水際で有価証券などの偽造を未然に防止できる。また、濃度変換処理回路５９をプログラムデバイスにより構成することで、デジタルカラー複写機１００の改造防止等に大きく寄与する。
【００８０】
【発明の効果】
以上説明したように、本発明に係るカラー画像形成装置及び画像形成方法によれば、任意の原稿を読み取ってカラー画像を形成する場合に、画像形成手段の固体識別情報を入力して当該固体識別情報の真偽を判定し、当該判定結果に基づいて画像処理手段と画像形成手段との接続可否を決定する制御手段を備えるものである。
【００８１】
この構成によって、画像処理手段に対する画像形成手段の固体識別情報が不良であると判断された場合に、画像処理手段と画像形成手段との間を通信動作無効状態に維持することができる。従って、画像処理手段に対する画像形成手段の固体識別情報が良好であると判断され、画像処理手段内のプログラム可能な回路が構築されない限り、カラー画像形成装置としての機能を剥奪（無効に）できるので、有価証券などの偽造犯罪防止、かつ、デジタルカラー複写機の改造防止等に寄与するところが大きい。
【００８２】
この発明はカラー原稿読取り系及びカラー画像形成系を備えた改造防止機能付きカラーデジタル複写機に適用して極めて好適である。
【図面の簡単な説明】
【図１】本発明に係る実施形態としてのカラー画像形成装置を応用したカラーディジタル複写機１００の構成例を示すブロック図である。
【図２】画像制御部１５の周辺構成及び画像処理部５の内部構成例を示すブロック図である。
【図３】本発明に係る濃度変換処理回路５９の内部構成例を示すブロック図である。
【図４】Ａ及びＢはＤＹ色の濃度変換処理例を示す構成図である。
【図５】本発明に係る濃度変換処理回路５９の回路構築例（その１）を示す平面図である。
【図６】濃度変換処理回路５９の回路構築例（その２）を示す平面図である。
【図７】濃度変換処理回路５９の回路構築例（その３）を示す平面図である。
【図８】メモリ回路５４によるプログラムデバイスデータＰＤ＃の格納例を示す表図である。
【図９】カラーディジタル複写機１００の動作例（その１）を示すフローチャートである。
【図１０】カラーディジタル複写機１００の動作例（その２）を示すフローチャートである。
【符号の説明】
５  画像処理部（画像処理手段）
１１  原稿読取部（原稿読取系）
１３  機械制御部
１４  操作部
１５  画像制御部（制御手段）
１６  プリンタコントローラ
１７  外部Ｉ／Ｆ
１８  画像形成部（画像形成手段）
５４  メモリ回路（不揮発性の記憶装置）
５５  色再現性処理回路
５６  画像判別処理回路
５７  フィルタリング処理回路
５８  拡大／縮小処理回路
５９  濃度変換処理回路（プログラム可能な回路）
１００  カラーディジタル複写機
【図１】
2004214802.tif 000003
【図２】
2004214802.tif 000004
【図３】
2004214802.tif 000005
【図４】
2004214802.tif 000006
【図５】
2004214802.tif 000007
【図６】
2004214802.tif 000008
【図７】
2004214802.tif 000009
【図８】
2004214802.tif 000010
【図９】
2004214802.tif 000011
【図１０】
2004214802.tif 000012